(57)【要約】【課題】商品の販売形態に応じたスパイラルの駆動形態の変更を容易にし、また、そのような構造であっても、装置を幅広に形成しない自動販売機の商品搬出装置を提供する。【解決手段】商品棚４上に横向きに並べて載置された複数のスパイラル２６と、これを商品棚４上に回転自在に保持する連結軸２８と、連結軸２８に各々取り付けられ、相互に噛合って隣り合う一方の連結軸２８の駆動力を他方に伝達する伝達歯車２９と、その駆動力が伝達されるスパイラル２６を回転駆動する駆動手段２７とを備え、スパイラル２６のピッチ間に載置した商品Ｓを、その先端側から搬出する自動販売機の商品搬出装置において、伝達歯車２９は連結軸２８にその軸線に沿って位置をずらした二箇所で装着可能に設けられ、隣り合う連結軸２８に相互に位置をずらして装着するとき伝達歯車２９の噛合が解消され、隣り合うスパイラル２６をそれぞれ別に回転駆動可能に構成する。【選択図】   図６
2008033581.tif 000002
【特許請求の範囲】
【請求項１】
商品棚上に横向きに並べて載置された複数のスパイラルと、前記スパイラルを連結してこれを前記商品棚上に回転自在に保持する連結軸と、前記連結軸に各々取り付けられ、相互に噛合って隣り合う一方の連結軸の駆動力を他方の連結軸に伝達する伝達歯車と、前記連結軸の一つを駆動し、その駆動力が伝達される前記スパイラルを回転駆動する駆動手段と、を備え、前記駆動手段により前記スパイラルを回転駆動して、前記スパイラルのピッチ間に載置した商品を、その先端側から搬出する自動販売機の商品搬出装置において、
前記伝達歯車は前記連結軸にその軸線に沿って位置をずらした二箇所で装着可能に設けられ、隣り合う前記連結軸に相互に位置をずらして装着するとき前記伝達歯車の噛合が解消され、隣り合う前記連結軸に連結される前記スパイラルをそれぞれ別に回転駆動可能に構成することを特徴とする自動販売機の商品搬出装置。
【請求項２】
前記伝達歯車は、前記連結軸に対し装着の向きを反転して装着することにより、前記位置をずらした二箇所の何れか一方に位置を替えて装着されることを特徴とする請求項１に記載の自動販売機の商品搬出装置。
【発明の詳細な説明】
【技術分野】
【０００１】
本発明は、本体内の商品棚上に複数のスパイラルを並べて備え、それらのスパイラルを回転駆動することにより駆動されるスパイラルピッチ間に収容された商品を商品棚から搬出して払い出す自動販売機の商品搬出装置に関する。
【背景技術】
【０００２】
従来のこの種の自動販売機の商品搬出装置としては、本願の出願人が出願し公開された特開２００１−２２２７５２号公報（特許文献１）に記載されるようなものが知られている。図８に示すように、この自動販売機のスパイラル式商品搬出装置４は、板金等により形成されたコラムケース２４の長手方向に２本の金属製スパイラル２６Ａ、２６Ｂを配置した構成で、各スパイラル２６Ａ、２６Ｂの一端は、スパイラル取付用フランジ２６ａによってスパイラル軸２８に固定され、他端はコラムケース２４の前面側で開放状態に置かれている。また、このスパイラル２６Ａ、２６Ｂは、コラムケース２４の底面に設けた山形のガイド部材５１、およびスパイラル２６Ａ、２６Ｂの中を貫いて帯状に形成されたレール部材５２により、コラムケース２４に保持されている。山形のガイド部材５１は、両側の突部の間に形成された凹部にスパイラル２６Ａ、２６Ｂを案内してその位置に保持し、レール部材５２は、その一端がコラムケース２４の前端縁に固定され、他端はスパイラル軸２８に対して回動自在に設けた円盤５２ａに固定されているので、スパイラル２６Ａ、２６Ｂとレール部材５２が干渉することなく、スパイラル２６Ａ、２６Ｂが回転自在に保持される。また、コラムケース２４の前部にはヒンジレバー５６を有する商品検出スイッチ５７が配置され、さらにコラムケース２４の前面には、商品の送り出しをスムーズに行うための門形状のガイド５３が設けられている。
【０００３】
各スパイラル軸２８には平歯車６０が固定されており、一方の平歯車６０と他方の平歯車６０とは二つの中間歯車６１を介して連結されている。この中間歯車６１の一方に動力源となる駆動用モータ２７のギア６２が噛んでおり、この駆動用モータ２７の回転により両方の平歯車６０に対して互いに逆方向の回転を与えている。駆動用モータ２７、中間歯車６１および平歯車６０はコラムケース２４奥側に設けた動力ボックス６５内に収容されている。
【０００４】
このような構成において、商品は、対向する２本のスパイラル２６Ａ、２６Ｂのそれぞれのピッチ間に案内されて載置される。そして、販売指令に基づいてその商品を載置する２本のスパイラル２６Ａ、２６Ｂが駆動モータ２７により同時に１回転すると、スパイラルピッチ間の商品がコラムケース２４の前面側に送られ、その前端から一つずつ搬出される。
【特許文献１】特開２００１−２２２７５２号公報
【発明の開示】
【発明が解決しようとする課題】
【０００５】
ところで、このような商品搬出装置４を備える自動販売機において、２本のスパイラル２６Ａ、２６Ｂの連動を解除して、例えば各スパイラル２６Ａ、２６Ｂを単独で駆動し、それぞれのスパイラル２６Ａ、２６Ｂにより別々に商品を販売しようとするときは、駆動用モータ２７のギア６２が噛んでいない他方の中間歯車６１を、駆動用モータ２７のギア６２が噛んでいる一方の中間歯車６１と噛合わない位置に移動し、さらにこの他方の中間歯車６１に動力源となる駆動用モータ２７のギア６２を噛ませて配置し、それぞれのスパイラル２６を単独で駆動できるようにその構成を変更する必要がある。しかしながら、このように中間歯車６１の一つを移動して再配置する作業は相当に煩雑である。また他方の中間歯車６１の移動スペースを動力ボックス６５に特別に設けておく必要があるから、コラムケース２４をはじめから幅広に形成しなければならず、それを備える自動販売機の幅を小さくできない問題がある。
【０００６】
本発明は、このような問題に対応するため、商品の販売形態の変更に応じてスパイラル２６Ａ、２６Ｂの駆動形態を変更する場合に、その変更を容易にし、また、そのようなスパイラル２６Ａ、２６Ｂの駆動形態の変更を可能にすることによっても、コラムケース２４を幅広に形成する必要がない商品搬出装置４を備える自動販売機の商品搬出装置を提供することを目的とするものである。
【課題を解決するための手段】
【０００７】
上記課題を解決するため、請求項１に係る発明は、商品棚上に横向きに並べて載置された複数のスパイラルと、前記スパイラルを連結してこれを前記商品棚上に回転自在に保持する連結軸と、前記連結軸に各々取り付けられ、相互に噛合って隣り合う一方の連結軸の駆動力を他方の連結軸に伝達する伝達歯車と、前記連結軸の一つを駆動し、その駆動力が伝達される前記スパイラルを回転駆動する駆動手段と、を備え、前記駆動手段により前記スパイラルを回転駆動して、前記スパイラルのピッチ間に載置した商品を、その先端側から搬出する自動販売機の商品搬出装置において、前記伝達歯車は前記連結軸にその軸線に沿って位置をずらした二箇所で装着可能に設けられ、隣り合う前記連結軸に相互に位置をずらして装着するとき前記伝達歯車の噛合が解消され、隣り合う前記連結軸に連結される前記スパイラルをそれぞれ別に回転駆動可能に構成するものである。
【０００８】
これによれば、前記スパイラル毎に取付けられた前記伝達歯車の装着位置を前記連結軸の軸線に沿う二箇所の何れか一方に装着することにより、相互に隣り合う前記スパイラルを、同時に駆動するか別々に駆動するかの何れかに容易に設定することができる。
請求項２に係る発明は、請求項１に記載の発明において、前記伝達歯車は、前記連結軸に対し装着の向きを反転して装着することにより、前記位置をずらした二箇所の何れか一方に位置を替えて装着されるものである。
【０００９】
これによれば、前記伝達歯車の装着の向きを反転する簡単な作業により、相互に隣り合う前記スパイラルを同時に駆動するか別々に駆動するかの何れかに設定することができる。
また、前記伝達歯車の形状を同一のものとし、部品の種類を少なくすることができる。
【発明の効果】
【００１０】
以上説明したように請求項１に係る発明によれば、スパイラル毎に取り付けられた伝達歯車の装着位置を連結軸の軸線に沿う二箇所の何れか一方に装着することにより、相互に隣り合うスパイラルを同時に駆動するか別々に駆動するかの何れかに容易に設定することができるから、商品を販売するために同時に駆動するスパイラルの組み合わせを、販売商品の形態等に応じて容易に変更することができる。また、このような変更は伝達歯車の装着位置をスパイラルの連結軸の軸線に沿って行うことで可能となるから、相互に隣り合うスパイラルの間隔を広くするなどの設定変更が不要で、商品搬出装置を幅広に形成する必要がない。
【００１１】
また、請求項２に係る発明によれば、伝達歯車の装着の向きを反転する簡単な作業により、相互に隣り合うスパイラルを同時に駆動するか別々に駆動するかの何れかに設定することができるから、その設定の操作が極めて簡単な商品搬出装置を提供することができる。
また、伝達歯車の形状を同一のものとし、部品の種類を少なくすることができるから、コストが安く、サービス性の良い自動販売機の商品搬出装置を提供することができる。
【発明を実施するための最良の形態】
【００１２】
本発明に係る好適な実施例について図を参照して説明する。
図１は本発明の実施の形態に係る商品搬出装置を搭載する自動販売機を示す正面図、図２は本発明の実施の形態に係る商品搬出装置を搭載する自動販売機を示す側面断面図、図３は本発明の実施の形態に係る商品搬出装置を搭載する自動販売機において外扉を開いた状態を示す斜視図である。なお、図８に示す従来例と同一または同様の機能を有するものは、同符号を付す。
【００１３】
図に示すように、本発明の商品搬出装置を搭載する自動販売機は、前面を開口した本体１と、本体１前面の開口を開閉自在に覆う外扉２を備えている。そして、本体１内には、前面が開口されて周囲を断熱部材により囲繞された収納庫３が設けられ、その収納庫３内には商品を前後方向に一列に並べて収納する商品収納コラム５を左右に並べて構成した商品ラック（商品搬出装置）４が上下に並べられて設けられている。商品収納コラム５は、収納庫３内に設けられた複数段の棚６（商品棚）上に、コラム仕切板２５により区分けされて収納商品毎に区画形成されている。また、その内部には前後方向に２列に並べられ、販売指令に基づいて同時に回転駆動され、収納商品を前方に搬出すように構成されたスパイラル２６Ａ、２６Ｂを備えている。
【００１４】
外扉２と本体1内の収納庫３に配置された商品ラック４の前面との間には、各商品収納コラム５から搬出された商品を受容し、後述の商品取出口８に送出する商品搬送装置１０が設けられている。この商品搬送装置１０は、図示しない制御手段よりその動作が制御される。
外扉２は、商品収納コラム５に収納した商品、及び商品販売時に顧客の購入した商品が商品収納コラム５から商品搬送装置１０に搬出されて商品取出口８に送出される販売動作が、外部から目視、観察できるように、それらに対応する領域に透明板が配設された透明窓部７が設けられている。また、透明窓部７の側方には操作部が形成され、数字キーの組合せで庫内に収納される販売商品を指定するテンキーボタン１７、紙幣処理装置の紙幣挿入口１８ａ、硬貨処理装置の硬貨挿入口１８ｂ、金銭返却レバー１９、販売情報等を表示する表示器２０、釣銭硬貨等を返却する硬貨返却口２１、鍵部２２等が配設されている。また、外扉２の下部には商品取出口８が商品搬送装置１０の下方に位置するように設けられ、その前面側には商品取出口８に送出された販売商品を取出すための取出口扉９が設けられている。また、外扉２の背面には、販売設定等の各種設定を入力するための入力キーボード３１が備えられている。
【００１５】
商品搬送装置１０は、商品収納コラム５から払い出された商品を受容するバケット部１１と、バケット部１１をその一端で片持ち支持するバケット支持部１２と、バケット支持部１２を案内してバケット部１１を上下方向に移動する案内レール１３と、バケット支持部１２に作用してバケット部１１を案内レール１３に沿って上下方向に移動する駆動手段１５とを備えている。ここで、バケット部１１の移動を案内する案内レール１３は、バケット部１１が下方に移動して下限位置に達するとき、バケット部１１の姿勢を水平状態から先端（前端）が下方に向く傾斜姿勢に変化させるように案内する。また、バケット部１１は常時の待機状態において、最上段の商品収納コラム５より上方の上限位置（図２参照）に保持されている。
【００１６】
次に、このような実施形態の自動販売機における商品の販売動作について説明する。
ここで、図４は本発明の実施の形態に係る自動販売機において、商品収納コラム５から払い出される商品Ｓがその前方に位置するバケット部１１へ送出される状態を模式的に示す側面断面図である。
先ず、顧客がテンキーボタン１７により販売商品を選択して入力すると、商品搬送装置１０の駆動手段１５によりバケット部１１がその上限位置から下方に移動し、販売商品が収納された商品収納コラム５に対応する高さの位置（例えば図２に破線で示す１１ａ）に移動して停止する。そして、図４に示すように、商品収納コラム５内に配設されたスパイラル部材２６Ａ、２６Ｂ（２６Ａのみ図示）がスパイラル駆動手段（駆動手段）２７により回転駆動されて、これに収納された商品Ｓが商品収納コラム５の前端の搬出口２５ａから送出され、その前方の位置に停止したバケット部１１に受容される。
【００１７】
このように商品Ｓを受容したバケット部１１は再び下方に向かって移動する。そして、バケット部１１が下限位置に達すると、バケット部１１は案内レール１３に案内されてその姿勢を先端が下方に向く姿勢（図２に破線で示す１１ｂ）に変化させる。これによりバケット部１１に載置された商品がその下方の商品取出口８に送出され販売される。そして、商品取出口８に商品が送出されたことがその上方に設けられた商品搬出センサ３４によって検出されると、再びバケット部１１が上方に向かって移動する。そして、バケット部１１がその上限位置に到達すると、その移動が停止されて上限位置に保持される。このようにして、顧客により選択された商品が商品取出口８に搬出されて販売される。
【００１８】
ところで、このような自動販売機の商品収納コラム５に収納される商品は、設置場所や季節等により変化する顧客の嗜好に対応して、その販売商品の種類を変更する必要がある。そのため、商品を収納するスパイラル２６Ａ、２６Ｂを販売する商品の形状に合わせてその商品に合ったピッチのものに交換し、あるいは同時に回転するスパイラル２６Ａ、２６Ｂの連結を解消し、それぞれを単独で回転駆動させて商品を別々に販売する等の設定変更が必要な場合が生じる。
【００１９】
ここで、スパイラル２６Ａとスパイラル駆動手段２７の連結構造について説明する。図５は本発明の実施形態の商品収納コラム５におけるスパイラル２６Ａとスパイラル駆動手段２７の連結構造を示す側断面図である。図に示すように、スパイラル駆動手段２７は、スパイラル２６Ａを回転する出力軸（連結軸）２８を設けたギアヘッド部２７ａと、それらを駆動する駆動モータ部２７ｂを備え、ギアヘッド部２７ａに設けられた出力軸２８には後述の連結ギア２９を取り付けるためのギアアダプタ３６が装着されている。このギアアダプタ３６は出力軸２８の基部側にこれと出力軸２８を共に貫通して装着されるスナップピン３７により出力軸２８に固着される。また、ギアアダプタ３６の奥部には連結ギア２９が装着されるときその後端と当接して、これを所定の位置に案内するフランジ部３６ａが形成され、その前方の前後の二箇所には、連結ギア２９のストッパ爪部２９ｃと係合して、これを所定の位置に固定するための溝穴部３６ｂが形成されている。ここで、連結ギア２９は筒状に形成された装着部２９ｂの片側に寄せてギア部２９ａが配置、形成され、出力軸２８に装着されたギアアダプタ３６に対して装着方向を反転して装着することにより、そのギア部２９ａの位置を出力軸２８の軸線に沿う方向にずらして（図の二点鎖線で示す位置に）装着することができる。そして、隣接するスパイラル２６Ａ、２６Ｂに係る連結ギア２９を出力軸２８の軸線に沿う方向に相互にずらして装着することにより、それらの噛合いを解消することができる。
【００２０】
また、出力軸２８の先端側には、スパイラル２６Ａを連結する連結穴２８ａがその回転軸心に直交して形成されている。なお出力軸２８を覆うギアアダプタ３６には、連結穴２８ａと同心にスパイラル２６Ａの装着を案内するガイド穴３６ｃが形成されている。
出力軸２８の先端側に連結されるスパイラル２６Ａは、丸棒状の一本の線材から形成され、その後端には螺旋周上からその中心に向かって直線状に延設された連結端部２６Ａａが設けられている。この連結端部２６Ａａは、出力軸２８の連結穴２８ａに挿脱可能である。そして、スパイラル２６Ａは連結端部２６Ａａを出力軸２８の連結穴２８ａに挿入してスパイラル駆動手段２７と連結され、その連結が連結保持具３０により保持されている。
【００２１】
この連結保持具３０は、出力軸２８の先端に嵌め込まれてこれと係合する軸係合部３０ａと、スパイラル２６Ａの螺旋部内周に当接する周接部３０ｂと、スパイラル２６Ａの連結端部２６Ａａに嵌着される連結端係合部３０ｃとを備え、これらによりスパイラル２６Ａの回転軸心を出力軸２８の回転軸心に一致させるように、その連結を保持している。
このように構成される商品収納コラム５において、スパイラル２６Ａを取り外す場合は、先ず、連結保持具３０を出力軸２８の先端方向（前方）に引いて、その軸係合部３０ａを出力軸２８から、その周接部３０ｂと連結端係合部３０ｃをスパイラル２６Ａから、それぞれ取り外す。そして、スパイラル２６Ａの連結端部２６Ａａを出力軸２８の連結穴２８ａから抜いてスパイラル２６Ａを商品収納コラム５から取り外す。また、スパイラル２６Ａを商品収納コラム５に取り付ける場合は、この手順を逆に行う。なお、スパイラル２６Ａと隣接するスパイラル２６Ｂに付いても同様の取り付け構造とすることで、同様にスパイラル２６Ｂの着脱が可能である。このようにして、スパイラル２６Ａ、２６Ｂの交換等を容易に行うことができる。
【００２２】
また、出力軸２８には、隣接して並ぶスパイラル２６Ｂの図示しない駆動軸に設けられる連結ギア２９と噛合って、これら二つのスパイラル２６Ａ、２６Ｂを同時に回転するための連結ギア２９が装着されるが、その装着方向を反転して装着することにより、そのギア部２９ａの位置を出力軸２８の軸線に沿う方向にずらし、隣接する連結ギア２９との噛合いを解消することができる。これによりスパイラル２６Ａ、２６Ｂをそれぞれ単独で回転駆動させて、それらのスパイラル２６Ａ、２６Ｂ毎に別々の商品を販売することができる。
【００２３】
図６は、本発明の実施形態の商品ラック４を示す平面図である。図において左側２本のスパイラル２６Ａ、２６Ｂは通常は同時に回転駆動されて一つの商品コラム５を成すものであるが、この場合には、それぞれのスパイラル２６Ａ、２６Ｂに係る連結ギア２９が出力軸２８に対して相互に装着方向を反転して装着され、それらのギア部２９ａが出力軸２８の軸線に沿って相互に位置ずれし、その噛合いが解消されるように装着されている。そして、それぞれのスパイラル２６Ａ、２６Ｂの間には仕切板２５が設けられ、さらに、それぞれのスパイラル２６Ａ、２６Ｂが連結される出力軸２８は、別々のスパイラル駆動手段２７により駆動されるように構成されている。すなわち、このような構成により、スパイラル２６Ａ、２６Ｂをそれぞれ単独で回転駆動させて、それらのスパイラル２６Ａ、２６Ｂ毎に別々の商品を販売することができる。
【００２４】
また、図６において中央に配置された２本のスパイラル２６Ａ、２６Ｂは、それぞれのスパイラル２６Ａ、２６Ｂに係る連結ギア２９が出力軸２８に対して装着方向を同じにして装着され、それらのギア部２９ａが相互に噛み合うように配置されている。そして、図示しない制御手段の販売指令に基づいてスパイラル２６Ａ、２６Ｂは同時に回転駆動され、この２本のスパイラル２６Ａ、２６Ｂに跨って収納された商品を前方（図の上方）に搬出するように構成されている。なお、この場合、一方のスパイラル２６Ｂは、駆動モータ部２７ｂを備えないギアヘッド部２７ａの出力軸２８に連結され、他方のスパイラル２６Ａが連結される出力軸２８を駆動するスパイラル駆動手段２７により連結ギア２９を介して同時に回転駆動される。
【００２５】
さらに、図６において右側２本のスパイラル２６Ａ、２６Ｂは、中央に配置される２本のスパイラル２６Ａ、２６Ｂと同様に同時に回転駆動されるように構成されるが、これらは、スパイラル２６Ａ、２６Ｂのピッチと連結ギア２９の出力軸２８に対する装着の仕方が、中央に配置されるものと異なっている。これによれば、中央に配置される商品コラム２５に比べて商品の厚みが小さいものを適宜に販売することができる。また、中央に配置されるスパイラル２６Ａと、その右側に配置されるスパイラル２６Ｂが近接して配置される場合にも、これらの連結ギア２９が相互に干渉することがないから、商品ラック４の幅を総じて小さくすることができる。
【００２６】
以上のように、本発明の実施形態の商品ラック４においては、スパイラル２６Ａ、２６Ｂ毎に取り付けられた連結ギア２９の装着位置を出力軸２８の軸線に沿う二箇所の何れか一方に装着することにより、相互に隣り合うスパイラル２６Ａ、２６Ｂを同時に駆動するか別々に駆動するかの何れかに容易に設定することができる。したがって、商品の販売形態の変更に応じて、スパイラル２６Ａ、２６Ｂを同時に駆動するか別々に駆動するかの何れかに容易に変更することができる。また、このような変更は連結ギア２９の装着位置をスパイラル２６Ａ、２６Ｂの出力軸２８の軸線に沿って移動することで可能となるから、相互に隣り合うスパイラル２６Ａ、２６Ｂの間隔を広くするなどの設定変更が不要で、商品ラック４を幅広に形成する必要がない。また、本発明の実施の形態においては、連結ギア２９の出力軸２８に対する装着の向きを反転する簡単な作業により、相互に隣り合うスパイラル２６Ａ、２６Ｂを同時に駆動するか別々に駆動するかの何れか一方に設定することができるから、その設定の操作が極めて簡単な商品ラック４を提供することができる。
【００２７】
図７は、本発明の他の実施形態の商品ラック４１を示す平面図である。この商品ラック４１は、商品を搬出するスパイラル２６が等間隔に平行に６本並べて配置できるように構成されている。また、これらのスパイラル２６は、前述したようにそれが連結される出力軸２８に着脱自在に設けられ、そのスパイラル２６に係る連結ギア２９を出力軸２８に対して反転して装着することにより、隣接する連結ギア２９との噛合いを解消することができる。この図に示す実施形態では、図において左側３列の出力軸２８が連結ギア２９により連結され、その両側の出力軸２８に同ピッチに形成されたスパイラル２６が連結されている。そして、スパイラル２６が連結されていない中央に位置する出力軸２８がスパイラル駆動手段２７により駆動され、その両側の連結軸２８に連結されたスパイラル２６が同時に同方向に回転駆動されるように構成されている。このようにして一つの商品を販売する商品収納コラム５が構成されている。なお、この商品収納コラム５には、両側のスパイラル２６に跨ってそのピッチ間に収納される横長の商品Ｓ１を販売することができる。
【００２８】
次に、左側３列の出力軸２８の隣に位置する（すなわち図において左から４列目の）出力軸２８には、左側の出力軸２８に装着される連結ギア２９と装着方向が反転した連結ギア２９が装着されている。またこの右側（すなわち同左から５列目）の出力軸２８には、左側の連結ギア２９と噛合うようにこれと同方向に連結ギア２９が装着されている。そして、この２列の出力軸２８には、同ピッチの巻き方向が異なるスパイラル２７がそれぞれ連結されている。このように構成される２列のスパイラル２６は、一方の出力軸２８を駆動するスパイラル駆動手段２７により同時に駆動され、その２列のスパイラル２６に跨ってピッチ間に収納される商品Ｓ２をその先端（図の上側）から搬出して販売することができる一つの商品収納コラム５を構成する。
【００２９】
また、図の右端の出力軸２８には、その左側２列の出力軸２８に装着された連結ギア２９と装着方向が反転した（すなわち図において左側３列の出力軸２８に装着された連結ギア２９と装着方向が同じ）連結ギア２９が装着されている。この出力軸２８には、スパイラル２６が連結され、スパイラル駆動手段２７により単独で回転駆動され、そのピッチ間に収納された商品Ｓ３をその先端側から搬出する。このようにして、１本のスパイラル２６により一つの商品収納コラム５が構成されている。なお、これらの商品収納コラム５は、仕切板２５によりそれぞれ区画形成されている。
【００３０】
このように本発明の他の実施形態の商品ラック４１によれば、平行に並べられたスパイラル２６の何れかを組み合わせて同時に駆動することで多様な商品コラム５を構成することができるから、多様な商品を販売することができる汎用性の高い商品ラック４１を提供することができる。また、連結ギア２９等の構成部品の形状を同一のものとし、部品の種類を少なくすることができるから、コストが安く、サービス性の良い自動販売機の商品搬出装置を提供することができる。
【００３１】
なお、本発明は、言うまでもなく本実施の形態に示す装置にのみ限定されず、その趣旨の包含する範囲で応用変更が可能である。
【図面の簡単な説明】
【００３２】
【図１】本発明の実施の形態に係る商品搬出装置を搭載する自動販売機を示す正面図である。
【図２】本発明の実施の形態に係る商品搬出装置を搭載する自動販売機を示す側面断面図である。
【図３】本発明の実施の形態に係る商品搬出装置を搭載する自動販売機において外扉を開いた状態を示す斜視図である。
【図４】本発明の実施の形態に係る自動販売機において、商品収納コラムから払い出される商品がその前方に位置するバケット部へ送出される状態を模式的に示す側面断面図である。
【図５】本発明の実施の形態に係る商品収納コラムにおけるスパイラルとスパイラル駆動手段の連結構造を示す側断面図である。
【図６】本発明の実施の形態に係る商品ラックの構造を示す平面図である。
【図７】本発明の他の実施の形態に係る商品ラックの構造を示す平面図である。
【図８】従来の実施の形態に係る自動販売機の商品搬出装置を示す斜視図である。
【符号の説明】
【００３３】
１  本体  
２  外扉
３  収納庫
４  商品ラック（商品搬出装置）
５  商品収納コラム
６  棚（商品棚）  
２６  スパイラル
２６Ａ  スパイラル
２６Ｂ  スパイラル
２７  スパイラル駆動手段（駆動手段）
２８  出力軸（連結軸）
２９  連結ギア
３０  連結保持具
３６  ギアアダプタ
【図１】
2008033581.tif 000003
【図２】
2008033581.tif 000004
【図３】
2008033581.tif 000005
【図４】
2008033581.tif 000006
【図５】
2008033581.tif 000007
【図６】
2008033581.tif 000008
【図７】
2008033581.tif 000009
【図８】
2008033581.tif 000010